(57)【要約】【課題】原稿のセットとスキャンを行うユーザーにとって、より使い勝手の良い画像読取装置を提供する。【解決手段】画像読取装置は、給送される媒体を支持する媒体支持部と、前記媒体支持部から送り出された媒体を読み取る読み取り部と、を備えている。前記読み取り部を備える装置本体の外面に、前記媒体支持部にセットする媒体を載置可能な載置部を有する。前記載置部は、前記装置本体に対し着脱可能に構成しても良い。また、装置の各種操作を行う為の操作部を前記装置本体に備え、前記操作部を、前記載置部或いは前記載置部に載置された媒体により覆われる位置となる第１状態と、前記載置部或いは前記載置部に載置された媒体により覆われない位置となる第２状態と、を切り換え可能に設けても良い。【選択図】図５
2019165362.tif 000002
【特許請求の範囲】
【請求項１】
給送される媒体を支持する媒体支持部と、
前記媒体支持部から送り出された媒体を読み取る読み取り部と、を備え、
前記読み取り部を備える装置本体の外面に、前記媒体支持部にセットする媒体を載置可能な載置部を有する、
ことを特徴とする画像読取装置。
【請求項２】
請求項１に記載の画像読取装置において、前記載置部は、載置される媒体の少なくとも一辺と対向する壁部を有する、
ことを特徴とする画像読取装置。
【請求項３】
請求項１または請求項２に記載の画像読取装置において、前記載置部は、ＩＳＯ２１６で規定されるＡ４サイズの媒体を載置可能に構成されている、
ことを特徴とする画像読取装置。
【請求項４】
請求項１から請求項３のいずれか一項に記載の画像読取装置において、前記載置部は、前記装置本体に対する姿勢を切り換え可能である、
ことを特徴とする画像読取装置。
【請求項５】
請求項１から請求項４のいずれか一項に記載の画像読取装置において、前記載置部は、前記装置本体に対し着脱可能である、
ことを特徴とする画像読取装置。
【請求項６】
請求項１から請求項５のいずれか一項に記載の画像読取装置において、装置の各種操作を行う為の操作部を前記装置本体に備え、
前記操作部は、前記載置部或いは前記載置部に載置された媒体により覆われる位置となる第１状態と、
前記載置部或いは前記載置部に載置された媒体により覆われない位置となる第２状態と、を切り換え可能に設けられている、
ことを特徴とする画像読取装置。
【請求項７】
請求項１から請求項５のいずれか一項に記載の画像読取装置において、装置の各種操作を行う為の操作部を前記装置本体に備え、
前記操作部は、前記載置部が設けられた面とは異なる面に設けられている、
ことを特徴とする画像読取装置。
【請求項８】
請求項１から請求項５のいずれか一項に記載の画像読取装置において、装置の各種操作を行う為の操作部を前記装置本体に備え、
前記操作部は、静電容量方式のタッチパネルで構成されている、
ことを特徴とする画像読取装置。
【請求項９】
請求項１から請求項５のいずれか一項に記載の画像読取装置において、装置の各種操作を行う為の操作部を前記装置本体に備え、
前記装置本体は、当該装置本体を載置する載置面に対する姿勢を切り換え可能に設けられ、
装置の各種制御を行う制御部は、前記装置本体が、前記載置部に媒体を載置可能な姿勢をとる際に、前記操作部からの入力指示を無効とする、
ことを特徴とする画像読取装置。
【請求項１０】
請求項１から請求項８のいずれか一項に記載の画像読取装置において、前記装置本体は、当該装置本体を載置する載置面に対する姿勢を切り換え可能に設けられ、
装置の各種制御を行う制御手段と、
前記装置本体の姿勢を検出する姿勢検出手段と、
前記媒体支持部上の媒体の有無を検出する為の媒体検出手段と、を備え、
前記制御手段は、前記媒体検出手段の検出信号をもとに前記媒体支持部上の最後の媒体の給送を検出した場合、給送ジョブを終了させる通常給送モードと、
前記媒体検出手段の検出信号をもとに前記媒体支持部上の最後の媒体の給送を検出した場合、前記媒体支持部に次の媒体が載置されるまで給送ジョブを一旦停止して待機し、前記媒体支持部に次の媒体が載置されると給送ジョブを再開する待ち受け給送モードと、を備え、
前記姿勢検出手段の検出情報をもとに、前記通常給送モードと前記待ち受け給送モードとを切り換える、
ことを特徴とする画像読取装置。
【発明の詳細な説明】
【技術分野】
【０００１】
本発明は、媒体を読み取る画像読取装置に関する。
【背景技術】
【０００２】
スキャナーに代表される画像読取装置には、媒体の一例である原稿を自動送りする給送装置（ＡＤＦ（Ａｕｔｏ  Ｄｏｃｕｍｅｎｔ  Ｆｅｅｄｅｒ）とも呼ばれる）が設けられ、複数枚の原稿の自動送りと読み取りとを行える様に構成されたものがある。  
この様な画像読取装置には、特許文献１に示す様に、上面が斜め傾斜面となる筐体を備えて構成されたものがある。また特許文献１記載の画像読取装置は、シート搬送路が水平方向に対して傾斜する第１状態において筐体を支持する第１支持部と、前記第１状態よりもシート搬送路が水平方向に近づく第２状態において筐体を支持する第２支持部を備えている。  
筐体が第１支持部に支持される第１状態においては、シート搬送路が水平方向に対して傾斜するため、装置の大型化を抑えることができる。また筐体が第２支持部に支持される第２状態においては、シート搬送路が第１状態よりも水平方向に近づくので、コシの強いシートを排出する際に、画像読取装置が設置されている床面などにシートの先端部が衝突することが回避される。
【先行技術文献】
【特許文献】
【０００３】
【特許文献１】特開２０１４−８６８１９号公報
【発明の概要】
【発明が解決しようとする課題】
【０００４】
上述の様に設置姿勢を変更可能な画像読取装置は公知であるが、尚も以下の点で改善の余地があった。以下、図１５を参照しつつこの点について説明する。図１５は、画像読取装置１００の背後（図において右側）に大量の原稿束Ｐｂを置き、その一番上のものから一枚ずつ、ユーザーが原稿内容を確認しながら給送トレイ１０１へ原稿をセットする作業を例にした場合のユーザーの手の動線を示す図である。図１５において破線Ｓは、読み取りが行われる際の原稿の搬送経路を示している。また符号１０３は、排出された原稿を支持する排出トレイを、符号Ｇは、画像読取装置１００を載置する載置面を示している。
【０００５】
上述のような作業をユーザーが行う場合、原稿束Ｐｂの置き場所によっては、ユーザーの手の動線Ｕ１が長くなり、作業性が悪くなる虞がある。また、原稿束Ｐｂを画像読取装置１００の背後に置くためのスペースが必要となる。
【０００６】
そこで本発明はこの様な状況に鑑みなされたものであり、その目的は、原稿のセットとスキャンを行うユーザーにとって、より使い勝手の良い画像読取装置を提供することにある。
【課題を解決するための手段】
【０００７】
上記課題を解決する為の、本発明の第１の態様に係る画像読取装置は、給送される媒体を支持する媒体支持部と、前記媒体支持部から送り出された媒体を読み取る読み取り部と、を備え、前記読み取り部を備える装置本体の外面に、前記媒体支持部にセットする媒体を載置可能な載置部を有することを特徴とする。
【０００８】
本態様によれば、画像読取装置は、媒体を読み取る読み取り部を備える装置本体の外面に、前記媒体支持部にセットする媒体を載置可能な載置部を有するので、ユーザーは給送すべき媒体をセットする際の手の動線が極めて短くなり、作業性が向上する。  
加えて、これからセットすべき媒体を置いておくスペースが装置周囲に不要になるという作用効果も得られる。
【０００９】
本発明の第２の態様は、第１の態様において、前記載置部は、載置される媒体の少なくとも一辺と対向する壁部を有することを特徴とする。  
本態様によれば、前記載置部は、載置される媒体の少なくとも一辺と対向する壁部を有するので、前記載置部からの、前記壁部が設けられた方向への媒体の滑り落ちを防止或いは抑制できる。
【００１０】
本発明の第３の態様は、第１のまたは第２の態様において、前記載置部は、ＩＳＯ２１６で規定されるＡ４サイズの媒体を載置可能に構成されていることを特徴とする。  
本態様によれば、前記載置部が、ＩＳＯ２１６で規定されるＡ４サイズの媒体を載置可能な構成において、上述した第１のまたは第２の態様の作用効果が得られる。
【００１１】
本発明の第４の態様は、第１から第３の態様のいずれかにおいて、前記載置部は、前記装置本体に対する姿勢を切り換え可能であることを特徴とする。  
本態様によれば、前記載置部は、前記装置本体に対する姿勢を切り換え可能であるので、前記載置部を、媒体を載置し易い姿勢とすることができる。
【００１２】
本発明の第５の態様は、第１から第４の態様のいずれかにおいて、前記載置部は、前記装置本体に対し着脱可能であることを特徴とする。  
本態様によれば、前記載置部は、前記装置本体に対し着脱可能であるので、前記載置部を使用しない際には装置全体をコンパクトにできる。
【００１３】
本発明の第６の態様は、第１から第５の態様のいずれかにおいて、装置の各種操作を行う為の操作部を前記装置本体に備え、前記操作部は、前記載置部或いは前記載置部に載置された媒体により覆われる位置となる第１状態と、前記載置部或いは前記載置部に載置された媒体により覆われない位置となる第２状態と、を切り換え可能に設けられていることを特徴とする。
【００１４】
本態様によれば、装置の各種操作を行う為の操作部を前記装置本体に備え、前記操作部は、前記載置部或いは前記載置部に載置された媒体により覆われる位置となる第１状態と、前記載置部或いは前記載置部に載置された媒体により覆われない位置となる第２状態と、を切り換え可能に設けられているので、前記操作部を前記第２状態とすることで当該操作部を操作することが可能となる。
【００１５】
本発明の第７の態様は、第１から第５の態様のいずれかにおいて、装置の各種操作を行う為の操作部を前記装置本体に備え、前記操作部は、前記載置部が設けられた面とは異なる面に設けられていることを特徴とする。
【００１６】
本態様によれば、装置の各種操作を行う為の操作部を前記装置本体に備え、前記操作部は、前記載置部が設けられた面とは異なる面に設けられているので、前記載置部が前記操作部を覆い隠すことがなく、前記操作部の操作性が確保される。
【００１７】
本発明の第８の態様は、第１から第５の態様のいずれかにおいて、装置の各種操作を行う為の操作部を前記装置本体に備え、前記操作部は、静電容量方式のタッチパネルで構成されていることを特徴とする。
【００１８】
本態様によれば、装置の各種操作を行う為の操作部を前記装置本体に備え、前記操作部は、静電容量方式のタッチパネルで構成されているので、載置された媒体が前記操作部に触れた場合でも前記タッチパネルが反応することを回避或いは抑制でき、誤動作を回避或いは抑制できる。
【００１９】
本発明の第９の態様は、第１から第５の態様のいずれかにおいて、装置の各種操作を行う為の操作部を前記装置本体に備え、前記装置本体は、当該装置本体を載置する載置面に対する姿勢を切り換え可能に設けられ、装置の各種制御を行う制御部は、前記装置本体が、前記載置部に媒体を載置可能な姿勢をとる際に、前記操作部からの入力指示を無効とすることを特徴とする。
【００２０】
本態様によれば、前記装置本体は、当該装置本体を載置する載置面に対する姿勢を切り換え可能に設けられ、装置の各種制御を行う制御部は、前記装置本体が、前記載置部に媒体を載置可能な姿勢をとる際に、前記操作部からの入力指示を無効とするので、前記載置部を使用する際に前記操作部が誤操作されることを抑制できる。
【００２１】
本発明の第１０の態様は、第１から第８の態様のいずれかにおいて、前記装置本体は、当該装置本体を載置する載置面に対する姿勢を切り換え可能に設けられ、装置の各種制御を行う制御手段と、前記装置本体の姿勢を検出する姿勢検出手段と、前記媒体支持部上の媒体の有無を検出する為の媒体検出手段と、を備え、前記制御手段は、前記媒体検出手段の検出信号をもとに前記媒体支持部上の最後の媒体の給送を検出した場合、給送ジョブを終了させる通常給送モードと、前記媒体検出手段の検出信号をもとに前記媒体支持部上の最後の媒体の給送を検出した場合、前記媒体支持部に次の媒体が載置されるまで給送ジョブを一旦停止して待機し、前記媒体支持部に次の媒体が載置されると給送ジョブを再開する待ち受け給送モードと、を備え、前記姿勢検出手段の検出情報をもとに、前記通常給送モードと前記待ち受け給送モードとを切り換えることを特徴とする。
【００２２】
本態様によれば、前記載置部から媒体を取り出して前記媒体支持部にセットし、給送して読み取るという作業を繰り返し行う際の使い勝手が向上する。
【図面の簡単な説明】
【００２３】
【図１】本発明の第１実施形態に係るスキャナーの外観斜視図。
【図２】本発明の第１実施形態に係るスキャナーの原稿搬送経路を示す側断面図。
【図３】本発明の第１実施形態に係るスキャナーの外観斜視図。
【図４】本発明の第１実施形態に係るスキャナーの分解斜視図。
【図５】本発明の第１実施形態に係るスキャナーの原稿搬送経路を示す側断面図。
【図６】本発明の第１実施形態に係るスキャナーの給送制御を示すフローチャート。
【図７】本発明の第２実施形態に係るスキャナーの分解斜視図。
【図８】本発明の第３実施形態に係るスキャナーの分解斜視図。
【図９】本発明の第３実施形態に係るスキャナーの分解斜視図。
【図１０】本発明の第４実施形態に係るスキャナーの側面図。
【図１１】本発明の第５実施形態に係るスキャナーの側面図。
【図１２】本発明の第６実施形態に係るスキャナーの側面図。
【図１３】本発明の第７実施形態に係るスキャナーの側面図。
【図１４】本発明の第８実施形態に係るスキャナーの側面図。
【図１５】従来技術に係るスキャナーを使用する際のユーザーの手の動線を示す図。
【発明を実施するための形態】
【００２４】
以下、本発明の実施の形態を図面に基づいて説明する。尚、各実施形態において同一の構成については、同一の符号を付し、最初の実施形態においてのみ説明し、以後の実施形態においてはその構成の説明を省略する。
【００２５】
以下、図１乃至図６を参照して、本発明に係る画像読取装置の第１実施形態について説明する。符号１Ａは、本発明に係る画像読取装置の第１実施形態であるスキャナーを示している。  
図１においてスキャナー１Ａは、媒体の一例である原稿（以下、原稿Ｐと言う）の画像を読み取る読取部２０ａ、２０ｂ（図２）を内部に備える本体２Ａの背面側に、給送される原稿Ｐを支持する「媒体支持部」としての給紙トレイ１１を備え、本体２Ａの前面側に、読み取りが行われて排出される原稿Ｐを支持する排紙トレイ５を備えている。
【００２６】
本体２Ａは、上面側に、各種読み取り設定や読み取り実行の操作を行ったり、読み取り設定内容等を示すユーザインタフェース（ＵＩ）が実現される操作パネル７を備えている。操作パネル７は、本実施形態では表示と入力の双方が行える静電容量方式のタッチパネルであり、各種操作を行う為の操作部と、各種情報を表示する為の表示部とを兼用する。
【００２７】
本体２Ａの背面側には給送口６が設けられており、給紙トレイ１１に載置される原稿Ｐは、給送口６から本体２Ａ内部に設けられる読取部２０ａ、２０ｂに向けて送られる。  
本体２Ａの前面側には、排出口１８が設けられ、当該排出口１８から、排紙トレイ５に向けて読み取りの行われた原稿Ｐが排出される。
【００２８】
本体２Ａの内部には、図２に示す様に原稿搬送経路Ｔが設けられている。原稿搬送経路Ｔの最も上流側には、給紙トレイ１１が設けられており、給紙トレイ１１の下流側には、給紙トレイ１１に載置された原稿Ｐを読取部２０ａ、２０ｂに向けて送る給送ローラー１４と、給送ローラー１４との間で原稿Ｐをニップして分離する分離ローラー１５が設けられている。
【００２９】
給送ローラー１４は、給紙トレイ１１に載置された原稿Ｐのうち、最下位のものと接する。従って、スキャナー１Ａにおいて複数枚の原稿Ｐを給紙トレイ１１にセットした場合には、最も下の原稿Ｐから順に下流側に向けて給送される。  
尚、給紙トレイ１１には、給紙トレイ１１上に原稿Ｐが存在するか否かを検出する為の、媒体検出手段としての載置センサー２１が設けられている。
【００３０】
給送ローラー１４の下流側には、搬送駆動ローラー１６ａと、搬送従動ローラー１６ｂとが設けられ、これらローラーによって給送された原稿Ｐが読取部２０ａ、２０ｂの間に送られる。
【００３１】
次に、読取部２０ａ、２０は原稿搬送経路Ｔを挟むように対向配置され、原稿Ｐの一方側の面或いは両面が読取部２０ａ、２０ｂによって読み取られる。本実施形態において、読取部２０ａ、２０ｂは一例として密着型イメージセンサーモジュール（ＣＩＳＭ）として構成されている。  
原稿Ｐは、読取部２０ａ、２０ｂによって表面及び裏面の少なくとも一方の面を読み取られた後、読取部２０ａ、２０ｂの下流側に位置する排出駆動ローラー１７ａと排出従動ローラー１７ｂとにニップされて、排出口１８から排出される。
【００３２】
本体２Ａは、図１に示す様に支持台８に回動軸４を介して支持されており、回動軸４を中心に回動することで、スキャナー１を載置する載置面Ｇに対する姿勢を調整できる様に構成されている。尚、載置面Ｇは水平面である。本体２Ａは、固定ねじ９によって支持台８に対する姿勢が固定される。尚、回動軸４及び固定ねじ９は、本体２Ａの両側部に設けられているが、図１では本体２Ａの右側面に設けられた回動軸４及び固定ねじ９を示している。
【００３３】
図１及び図２は本体２Ａが傾斜姿勢をとる場合を、図３乃至図５は本体２Ａが水平姿勢をとる場合を、それぞれ示している。尚、ここでの傾斜姿勢とは、後述する載置台２２の載置面２２ａが載置面Ｇ（水平面）に対して傾斜する姿勢を意味し、水平姿勢とは載置面２２ａが載置面Ｇ（水平面）に対して平行となる姿勢を意味する。  
本体２Ａには姿勢センサー１９（図２）が設けられており、スキャナー１Ａの各種制御を行う制御手段としての制御部１０（図２）は、姿勢検出手段としての姿勢センサー１９の検出信号により本体２Ａの姿勢を把握し、必要な制御を行う。
【００３４】
また本実施形態において給紙トレイ１１及び排紙トレイ５は、図５に示す様に本体２Ａに対する姿勢を切り換え可能に設けられており、より具体的には給紙トレイ１１は下流端（不図示）を中心に揺動可能に設けられ、排紙トレイ５は上流端（不図示）を中心に揺動可能に設けられている。これにより、給紙トレイ１１は図５において角度αで示す範囲で姿勢を調整可能となり、排紙トレイ５は図５において角度βで示す範囲で姿勢を調整可能となっている。図５において符号１１−１は姿勢切り換え前の給紙トレイを示し、符号５−１は姿勢切り換え前の排紙トレイをそれぞれ示している。尚、各トレイの姿勢を保持する手段は種々の手段を採用でき、例えば摩擦力を利用して姿勢保持することができ、或いは凸部と凹部の嵌合によって姿勢保持することができる。
【００３５】
これにより、例えば本体２Ａを図５に示す様に水平姿勢にした際、給紙トレイ１１及び排紙トレイ５の双方をほぼ水平姿勢にすることができ、給紙トレイ１１への原稿Ｐのセットや排紙トレイ５からの原稿Ｐの取り出しの作業性を良好にでき、また、排出口１８から排出される原稿Ｐの積載性も向上する。
【００３６】
続いて、本体２Ａの上部に設けられた「載置部」としての載置台２２について説明する。載置台２２は、本実施形態において長方形の形状を成し、上面が給送前の原稿Ｐ或いは既に読み取りが行われた原稿Ｐを載置する載置面２２ａとして機能するものである。載置台２２は種々の材料で形成することができるが、載置面２２ａは原稿Ｐを載置する観点において原稿Ｐが滑り落ちにくいように原稿Ｐとの間で比較的高い摩擦力を発揮できるものが好ましい。載置台２２が全体として高摩擦材料（例えば、ゴム等のエラストマー）で形成されていても良いし、或いは載置面２２ａのみが高摩擦材料で形成されていても良い。また、載置面２２ａを高摩擦材料で形成するほか、滑り止め加工を施すことで高摩擦性を得るようにしても良い。
【００３７】
載置台２２は、本実施形態では本体２Ａに対して着脱可能に構成されており、図１乃至図３は本体２Ａに対して装着した状態を、図４は本体２Ａから取り外した状態を、それぞれ示している。この様に載置台２２を本体２Ａに対して着脱可能とすることで、載置台２２を使用しない際には装置全体をコンパクトにできる。また、本実施形態のように本体２Ａの上面に操作パネル７を備える構成においては、載置台２２を取り外すことで操作パネル７の操作を行える様になる。
【００３８】
図４において本体２Ａの外郭を構成する筐体３の上面３ａは概ね平坦面で形成されているとともに、四隅に嵌合凹部３ｅが形成されている、載置台２２の下面の四隅には嵌合凸部２２ｂが形成されており、嵌合凸部２２ｂが嵌合凹部３ｅに嵌合することで、載置台２２が本体２Ａに位置決めされた状態となる。  
尚、嵌合凸部２２ｂと嵌合凹部３ｅとの嵌合は、必ずしも嵌合させる際に或る程度の押し込み力が必要となる嵌め合いである必要はなく、本体２Ａが図１の様な傾斜姿勢をとる際に載置台２２が筐体３から滑り落ちなければ良い。但し、嵌合凸部２２ｂを嵌合凹部３ｅに嵌合させる際に或る程度の押し込み力が必要となる嵌め合いとすれば、載置台２２のがたつきを防止でき、好適である。その為に、例えば嵌合凸部２２ｂ及び嵌合凹部３ｅの少なくとも一方に弾性を持たせ、弾性変形を介して両者が嵌合する様に構成することも好適である。
【００３９】
本体２Ａの外郭を構成する筐体３の外面に設けられた載置台２２は、給紙トレイ１１にセットする原稿Ｐを載置可能な大きさに形成されている。これによりユーザーは、給送すべき原稿Ｐをセットする際の手の動線が極めて短くなり、作業性が向上する。加えて、これからセットすべき原稿Ｐを置いておくスペースが装置周囲に不要になるという作用効果も得られる。  
図５において符号Ｐｔは、載置台２２に載置される原稿束を示しており、符号Ｕ２は、載置台２２に載置された原稿束Ｐｔから原稿Ｐを給紙トレイ１１にセットする際のユーザーの手の動線を示している。載置台２２を利用することで、動線Ｕ２を極めて短くすることができる。
【００４０】
以下、載置台２２の大きさについて更に説明する。図１において寸法Ｘ１は、給送口６に差し入れ可能な最大寸法を示しており、図３において寸法Ｘ２は、載置台２２の短辺寸法を示している。また図１において寸法Ｙ１は、寸法Ｘ１を短辺とする規格サイズの用紙の長辺寸法を示しており、図３において寸法Ｙ２は、載置台２２の長辺寸法を示している。  
短辺サイズが寸法Ｘ１、長辺サイズが寸法Ｙ１となる規格サイズの一例として、ＩＳＯ２１６で規定されるＡ４サイズが一例として挙げられる。即ち、寸法Ｙ１は２９７ｍｍとなり、寸法Ｘ１は２１０ｍｍとなる。この寸法が、一例としてスキャナー１にセットし給送することが可能な規格サイズの用紙のうち、最も大きいサイズとなる。
【００４１】
給紙トレイ１１にセットする原稿Ｐを載置台２２に安定して載置するためには、寸法Ｘ２が寸法Ｘ１より大きく、また、寸法Ｙ２が寸法Ｙ１より大きいことが好ましいが、この条件を満たさない場合でも、載置台２２から原稿Ｐが落ちなければ良い。その様な寸法関係は、当業者が適宜設定しうる事項である。
【００４２】
続いて、スキャナー１の給送モードについて図６を参照しつつ説明する。制御部１０（図２）は、姿勢センサー１９（図２）の検出信号をもとに本体姿勢が傾斜姿勢（図１、図２）であるか、水平姿勢（図３乃至図５）であるかを判断し（ステップＳ１０１）、姿勢に応じて給送モードを切り換える。  
より詳しくは、本体姿勢を判断し（ステップＳ１０１）、傾斜姿勢の場合、通常給送モードを選択する。この通常給紙モードでは、スキャンジョブ開始指示を受けると（ステップＳ１０２においてＹｅｓ）、給紙及びスキャンを実行し（ステップＳ１０３）、載置センサー２１（図２）の検出信号をもとに給紙トレイ１１上の最後の原稿Ｐの給送を検出した場合（ステップＳ１０４においてＹｅｓ）、ジョブは終了する。
【００４３】
これに対し、本体姿勢が水平姿勢の場合、待ち受け給送モードを選択する。この待ち受け給送モードでは、制御部１０は、載置センサー２１の検出信号をもとに給紙トレイ１１上に原稿Ｐが載置されていると判断できる場合、給紙及びスキャンを実行し（ステップＳ１０６）、載置センサー２１（図２）の検出信号をもとに給紙トレイ１１上の最後の原稿Ｐの給送を検出した場合（ステップＳ１０７においてＹｅｓ）、給送ジョブを終了せず、給紙トレイ１１に次の原稿Ｐが載置されるまで給送ジョブを一旦停止する（ステップＳ１０５においてＮｏ）。そして載置センサー２１の検出信号をもとに給紙トレイ１１上に原稿Ｐが載置されたことを検知すると（ステップＳ１０５においてＹｅｓ）、再度給紙、スキャンを実行する（ステップＳ１０６）。  
これにより、図５において動線Ｕ２で示す様な、載置台２２上の媒体束Ｐｔから原稿Ｐを取り出して給紙トレイ１１にセットする作業を繰り返し行う際に、その都度操作パネル７を操作する必要がなく、使い勝手が向上する。
【００４４】
尚、本体姿勢に基づいて給送モードを選択するほか、載置台２２上の原稿Ｐの有無を検知する手段を設け、載置台２２上に原稿Ｐがなければ、通常給送モードを選択し、載置台２２上に原稿Ｐがあれば、待ち受け給送モードを選択する様に構成しても良い。  
載置台２２上の原稿の有無を検知する手段としては、例えば光学センサーや、感圧センサー等を採用できる。
【００４５】
続いて、図７以降を参照しつつ、他の実施形態について説明する。尚、図７以降では既に説明した上記実施形態と同一の構成には同一符号を付してあり、以下ではその説明は省略する。  
図７に示す第２実施形態に係るスキャナー１Ｂは、載置台２２Ａを備えている。載置台２２Ａは、図１乃至図５を参照しつつ説明した載置台２２とは異なり、上面に壁部２９ａ、２９ｂ、２９ｃ。２９ｄを有している。壁部２９ａ〜２９ｄは、載置台２２Ａに載置される原稿Ｐの各辺と対向する。これにより、載置台２２Ａからの原稿Ｐの滑り落ちを抑制できる。  
尚、図７では載置台２２Ａの四辺全てに壁部を設けているが、少なくとも一辺に壁部を設けることで、当該壁部が設けられた方向への原稿Ｐの滑り落ちを防止或いは抑制できる。  
また、図７において寸法Ｘ３、Ｙ３は壁部２９ａ〜２９ｄで囲われた領域の寸法である。寸法Ｘ３、Ｙ３は、上述した寸法Ｘ２、Ｙ２（図３）と同様に、それぞれ寸法Ｘ１、Ｙ１（図１）より大きいことが好ましい。
【００４６】
続いて、図８及び図９に示す第３実施形態に係るスキャナー１Ｃは、本体２Ｂを構成する筐体３０の上部に、操作パネル７０を備えている。操作パネル７０は、軸部７１に対し回動可能に設けられており、また、軸部７１はボールリンク７２に取り付けられ、ボールリンク７２による姿勢変化の自由度が与えられている。  
筐体３０の上面３０ａには凹部３０ｂが設けられており、操作パネル７０が凹部３０ｂに入り込んで上面３０ａから突出しない状態をとることができる。
【００４７】
筐体３０の右側面には凹部３０ｃが形成されており、軸部７１とボールリンク７２とによって操作パネル７０に与えられた姿勢変化の自由度により、操作パネル７０は図９に示す様に凹部３０ｃに入り込んだ状態をとることができる。  
即ち操作パネル７０は、載置台２２により覆われる位置となる第１状態（図８）と、載置台２２により覆われない位置となる第２状態（図９）と、を切り換え可能に設けられている。従って載置台２２を本体２Ｂの上部に設置した状態でも、操作パネル７０を前記第２状態とすることで当該操作パネル７０を操作することが可能となる。
【００４８】
尚、載置台２２を省略し、筐体３０の上面３０ａを、原稿Ｐを載置する載置台として利用しても良い。即ち筐体３０それ自身が、上述した載置台２２として機能しても良い。この様に構成した場合でも、操作パネル７０が、筐体３０の上面３０ａに載置された原稿Ｐにより覆われる位置となる第１状態（図８）と、載置された原稿Ｐにより覆われない位置となる第２状態（図９）と、を切り換え可能である為、操作パネル７０の操作性を担保できる。
【００４９】
尚、この様に操作パネル７０の上部を原稿Ｐが直接覆い得る構成では、操作パネル７０を静電容量方式のタッチパネルで構成することが好ましい。これにより、載置された原稿Ｐが操作パネル７０に触れた場合でもタッチパネルが反応することを回避或いは抑制でき、誤動作を回避或いは抑制できる。
【００５０】
また制御部１０は、本体姿勢が載置台２２に原稿Ｐを載置可能な姿勢をとる際、例えば水平姿勢をとる際に、操作パネル７からの入力指示を無効としても良い。この様にするので、載置台２２を使用する際に操作パネル７が誤操作されることを抑制できる。
【００５１】
また、操作パネル７０を姿勢切り換え可能とせずに、載置台２２が設けられた面とは異なる面、例えば図９に示す様な位置（筐体側面）に固定的に設けても良い。これにより載置台２２が操作パネルを覆い隠すことがなく、操作パネルの操作性が確保される。
【００５２】
続いて、図１０に示す第４実施形態に係るスキャナー１Ｄは、本体２Ｃに対して載置台２２が回動軸２３を中心に揺動可能に設けられている。本体２Ｃには支柱２４が回転軸２４ａを中心に回転可能に設けられており、図１０の右の図から左の図への変化で示す様に載置台２２を水平姿勢とした際、支柱２４によって支持台２２の水平姿勢を維持できる。符号２２ｃは、支柱２４と係合する係止部を示している。  
この様に載置台２２を本体２Ｃに対して姿勢切り換え可能とすることで、載置台２２を、原稿Ｐを載置し易い姿勢とすることができる。また、本体２Ｃの上面が開放されるので、操作パネル７（図１）の操作も可能となる。
【００５３】
載置台２２の姿勢を切り換える他の実施形態として、図１１に示す様に構成しても良い。図１１に示すスキャナー１Ｅは、本体２Ｄに、不図示のモーターにより駆動される駆動プーリー２６を備えている。載置台２２には従動プーリー２５が設けられており、従動プーリー２５と駆動プーリー２６とにベルト２７が掛け回されている。そして駆動プーリー２６の回転により、従動プーリー２５が回転し、図１１の右の図から左の図への変化、或いはその逆の変化で示す様に載置台２２が姿勢切り換えを行う構成である。
【００５４】
続いて、図１２に示す第５実施形態に係るスキャナー１Ｆは、本体２Ｅの底部に支持アーム３３、３４を備えている。支持アーム３３、３４はそれぞれ支点３３ａ、３４ａを中心に回動可能に設けられており、回動することにより、図１２の右の図から左の図への変化、或いはその逆の変化で示す様に、載置面Ｇに対する本体２Ｅの姿勢切り換えを行うことができる。
【００５５】
また、図１３に示す第６実施形態に係るスキャナー１Ｇは、本体２Ｆの底部に底面３５ａ、３５ｂを備えている。底面３５ａ、３５ｂは平坦な面に形成されており、且つ、所定角度で交差する面として形成されている。載置面Ｇに対して接する面を底面３５ａ、３５ｂで切り換えることで、図１３の右の図から左の図への変化、或いはその逆の変化で示す様に、載置面Ｇに対する本体２Ｆの姿勢切り換えを行うことができる。
【００５６】
また、図１４に示す第７実施形態に係るスキャナー１Ｈは、本体２Ｇが、支持台２８によって支持される。支持台２８は、トレイ支持部２８ａ、２８ｂを有しており、これらトレイ支持部２８ａ、２８ｂによって、給紙トレイ１１及び排紙トレイ５も同時に支持される構成である。支持台２８を用いることにより、図１４の右の図から左の図への変化、或いはその逆の変化で示す様に、載置面Ｇに対する本体２Ｇの姿勢切り換えを行うことができる。
【符号の説明】
【００５７】
１Ａ〜１Ｈ…スキャナー（画像読取装置）、２Ａ〜２Ｇ…本体、３…筐体、３ａ…上面、３ｅ…嵌合凹部、４…回動軸、５…排紙トレイ、６…給送口、７…操作パネル、８…支持台、９…固定ねじ、１０…制御部、１１…給紙トレイ、１４…給送ローラー、１５…分離ローラー、１６…搬送ローラー対、１６ａ…搬送駆動ローラー、１６ｂ…搬送従動ローラー、１７…排出ローラー対、１７ａ…排出駆動ローラー、１７ｂ…排出従動ローラー、１８…排出口、１９…姿勢センサー、２０ａ、２０ｂ…読取部、２１…載置センサー、
２２…載置台、２２ａ…載置面、２２ｂ…嵌合凸部、２２ｃ…係止部、２３…回動軸、２４…支柱、２４ａ…回転軸、２５…従動プーリー、２６…駆動プーリー、２７…ベルト、２８…支持台、２８ａ、２７ｂ…トレイ支持部、２９ａ〜２９ｄ…壁部、３０…筐体、３０ａ…上面、３０ｂ…凹部、３０ｃ…凹部、３３、３４…支持アーム、３５ａ、３５ｂ…底面、７０…操作パネル、７１…軸部、７２…ボールリンク、Ｐ…原稿、Ｐｔ…原稿束
【図１】
2019165362.tif 000003
【図２】
2019165362.tif 000004
【図３】
2019165362.tif 000005
【図４】
2019165362.tif 000006
【図５】
2019165362.tif 000007
【図６】
2019165362.tif 000008
【図７】
2019165362.tif 000009
【図８】
2019165362.tif 000010
【図９】
2019165362.tif 000011
【図１０】
2019165362.tif 000012
【図１１】
2019165362.tif 000013
【図１２】
2019165362.tif 000014
【図１３】
2019165362.tif 000015
【図１４】
2019165362.tif 000016
【図１５】
2019165362.tif 000017